(57)【要約】【課題】画像を表示する表示部に強い光があたる場合でも、表示部に表示される画像の視認性を向上させることが可能な携帯端末装置および制御プログラムを提供する。【解決手段】表示手段が反射光を使用して表示する複数の反射光使用画素を含む反射光使用画像を生成し、元画像と、反射光使用画像とを合成することにより、複数の反射光使用画素を含む合成画像を、表示手段に反射光を使用させて表示させる。【選択図】図９
2007219276.tif 000002
【特許請求の範囲】
【請求項１】
第１の方向からの光を反射させた反射光を使用して画像を表示する機能と、前記第１の方向と反対の第２の方向からの光である透過光を使用して画像を表示する機能とを有する表示手段と、
前記表示手段が前記反射光を使用して表示する複数の反射光使用画素を含む反射光使用画像を生成する画像生成手段と、
前記表示手段に表示させる元画像と、前記画像生成手段が生成した前記反射光使用画像とを合成することにより、前記複数の反射光使用画素を含む合成画像を生成する合成手段と、
生成された前記合成画像を、前記表示手段に前記反射光を使用させて表示させる表示制御手段とを備える、携帯端末装置。
【請求項２】
前記表示手段に直接あたる前記第１の方向からの光の照度を測定する測定手段をさらに備え、
前記画像生成手段は、前記反射光使用画像よりも多くの前記反射光使用画素を含む第１反射光使用画像と、前記反射光使用画像としての第２反射光使用画像とを生成し、
前記合成手段は、前記測定手段により測定された照度が所定値より大きい場合、前記元画像と、前記第１反射光使用画像とを合成することにより、前記第１反射光使用画像に含まれる全ての前記反射光使用画素を含む照度対応合成画像を生成し、
前記表示制御手段は、生成された前記照度対応合成画像を、前記表示手段に前記反射光を使用させて表示させる、請求項１に記載の携帯端末装置。
【請求項３】
前記表示手段は、
光を透過させる透過手段と、
光を発する光源と、
前記透過手段と前記光源との間に設けられ、印加される電圧に応じて光の透過率を変化させる透過率変化手段と、
各々が、画素を表示する複数の画素表示手段とを含み、
各前記画素表示手段は、
各々が、異なる色を表示する複数の色表示手段を含み、
各前記色表示手段は、
前記透過率変化手段のうち使用する部分の一部と、前記光源との間に設けられ、光を異なる複数の方向へ反射する反射手段と、
前記透過率変化手段のうち使用する部分に電圧を印加する電圧印加手段とを含み、
前記透過光は、前記透過率変化手段を透過させた前記光源からの光であり、
前記反射光は、前記透過手段を透過させた前記第１の方向からの光を、前記反射手段により前記異なる複数の方向へ反射させた光であり、
前記表示手段が前記反射光を使用して前記複数の反射光使用画素を含む前記合成画像を表示する場合、前記複数の反射光使用画素にそれぞれ対応する複数の画素表示手段の各々に対応する前記複数の色表示手段の各々に含まれる前記反射手段が前記第１の方向からの光を前記異なる複数の方向へ反射させることにより、前記表示手段は前記複数の反射光使用画素を表示するとともに、前記複数の反射光使用画素の各々に隣接する複数の画素の各々に対応する画素表示手段が表示する画素の明るさを向上させる、請求項１に記載の携帯端末装置。
【請求項４】
前記複数の反射光使用画素は、前記反射光使用画像において、所定方向にｎ（自然数）ラインおきに配置される複数の画素群を含む、請求項１に記載の携帯端末装置。
【請求項５】
前記複数の反射光使用画素は、前記反射光使用画像において、第３の方向にｎ（自然数）ラインおきに配置される複数の第１画素群と、前記第３の方向と直交する第４の方向にｎラインおきに配置される複数の第２画素群とを含む、請求項１に記載の携帯端末装置。
【請求項６】
前記複数の反射光使用画素は、前記反射光使用画像において、所定方向にランダムな間隔で配置される複数の画素群を含む、請求項１に記載の携帯端末装置。
【請求項７】
前記複数の反射光使用画素は、前記反射光使用画像において、第３の方向にランダムな間隔で配置される複数の第１画素群と、前記第３の方向と直交する第４の方向にランダムな間隔で配置される複数の第２画素群とを含む、請求項１に記載の携帯端末装置。
【請求項８】
画像を表示する表示部が設けられたコンピュータに実行させるための制御プログラムであって、
前記表示部は、第１の方向からの光を反射させた反射光を使用して画像を表示する機能と、前記第１の方向と反対の第２の方向からの光である透過光を使用して画像を表示する機能とを有し、
前記制御プログラムは、
前記表示部が前記反射光を使用して表示する複数の反射光使用画素を含む反射光使用画像を生成するステップと、
前記表示部に表示させる元画像と、生成された前記反射光使用画像とを合成することにより、前記複数の反射光使用画素を含む合成画像を生成するステップと、
生成された前記合成画像を、前記表示部に前記反射光を使用させて表示させるステップとを備える、制御プログラム。
【発明の詳細な説明】
【技術分野】
【０００１】
本発明は、携帯端末装置および制御プログラムに関し、特に、反射光を利用して画像を表示する携帯端末装置および制御プログラムに関する。
【背景技術】
【０００２】
携帯電話やＰＤＡ（Personal Digital Assistance）等の携帯端末装置において使用される表示部の高性能化が進みつつある。携帯端末装置は、屋内だけでなく、屋外でも使用されるケースが多い。そのため、バックライトの光を透過させて画像を表示する表示部を備えた携帯端末装置では、屋外での使用時に、表示部に強い光（たとえば、太陽光）が直接あたると、表示部の画像が見えなくなる。なお、以下においては、ある部分（たとえば、液晶層）を透過させたバックライトの光を透過光ともいう。また、強い光（たとえば、太陽光）を反射させた光を反射光ともいう。
【０００３】
そこで、反射光を使用して画像を表示する機能と、透過光を使用して画像を表示する機能とを有する表示部を備えた携帯端末装置が普及しつつある。このような、反射光を使用して画像を表示する機能と、透過光を使用して画像を表示する機能とを有する表示部の代表的なものとして、特開平１０−０９６８９５号公報（特許文献１）、特開２０００−１３１６８１号公報（特許文献２）および特開２００２−３７２７１０号公報（特許文献３）、および非特許文献１に開示されている半透過型液晶表示装置がある。
【特許文献１】特開平１０−０９６８９５号公報
【特許文献２】特開２０００−１３１６８１号公報
【特許文献３】特開２００２−３７２７１０号公報
【非特許文献１】“モバイル向けＡＳＶ液晶”を開発、［Online］、3 October 2003、［平成１８年１月２３日検索］、インターネット〈ＵＲＬ：http://ascii24.com/news/i/hard/article/2003/10/03/646228-000.html?geta〉
【発明の開示】
【発明が解決しようとする課題】
【０００４】
しかしながら、半透過型液晶表示装置は、屋外での使用時に、表示部に強い光（たとえば、太陽光）が直接あたる場合、表示部の画像の視認性は、反射光のみを使用して画像を表示する透過型液晶表示装置よりも悪くなる。
【０００５】
本発明は、上述の問題点を解決するためになされたものであって、その目的は、画像を表示する表示部に強い光があたる場合でも、表示部に表示される画像の視認性を向上させることが可能な携帯端末装置および制御プログラムを提供することである。
【課題を解決するための手段】
【０００６】
上述の課題を解決するために、この発明のある局面に従う携帯端末装置は、第１の方向からの光を反射させた反射光を使用して画像を表示する機能と、第１の方向と反対の第２の方向からの光である透過光を使用して画像を表示する機能とを有する表示手段と、表示手段が反射光を使用して表示する複数の反射光使用画素を含む反射光使用画像を生成する画像生成手段と、表示手段に表示させる元画像と、画像生成手段が生成した反射光使用画像とを合成することにより、複数の反射光使用画素を含む合成画像を生成する合成手段と、生成された合成画像を、表示手段に反射光を使用させて表示させる表示制御手段とを備える。
【０００７】
好ましくは、表示手段に直接あたる第１の方向からの光の照度を測定する測定手段をさらに備え、画像生成手段は、反射光使用画像よりも多くの反射光使用画素を含む第１反射光使用画像と、反射光使用画像としての第２反射光使用画像とを生成し、合成手段は、測定手段により測定された照度が所定値より大きい場合、元画像と、第１反射光使用画像とを合成することにより、第１反射光使用画像に含まれる全ての反射光使用画素を含む照度対応合成画像を生成し、表示制御手段は、生成された照度対応合成画像を、表示手段に反射光を使用させて表示させる。
【０００８】
好ましくは、表示手段は、光を透過させる透過手段と、光を発する光源と透過手段と光源との間に設けられ、印加される電圧に応じて光の透過率を変化させる透過率変化手段と、各々が、画素を表示する複数の画素表示手段とを含み、各画素表示手段は、各々が、異なる色を表示する複数の色表示手段を含み、各色表示手段は、透過率変化手段のうち使用する部分の一部と、光源との間に設けられ、光を異なる複数の方向へ反射する反射手段と、透過率変化手段のうち使用する部分に電圧を印加する電圧印加手段とを含み、透過光は、透過率変化手段を透過させた光源からの光であり、反射光は、透過手段を透過させた第１の方向からの光を、反射手段により異なる複数の方向へ反射させた光であり、表示手段が反射光を使用して複数の反射光使用画素を含む合成画像を表示する場合、複数の反射光使用画素にそれぞれ対応する複数の画素表示手段の各々に対応する複数の色表示手段の各々に含まれる反射手段が第１の方向からの光を異なる複数の方向へ反射させることにより、表示手段は複数の反射光使用画素を表示するとともに、複数の反射光使用画素の各々に隣接する複数の画素の各々に対応する画素表示手段が表示する画素の明るさを向上させる。
【０００９】
好ましくは、複数の反射光使用画素は、反射光使用画像において、所定方向にｎ（自然数）ラインおきに配置される複数の画素群を含む。
【００１０】
好ましくは、複数の反射光使用画素は、反射光使用画像において、第３の方向にｎ（自然数）ラインおきに配置される複数の第１画素群と、第３の方向と直交する第４の方向にｎラインおきに配置される複数の第２画素群とを含む。
【００１１】
好ましくは、複数の反射光使用画素は、反射光使用画像において、所定方向にランダムな間隔で配置される複数の画素群を含む。
【００１２】
好ましくは、複数の反射光使用画素は、反射光使用画像において、第３の方向にランダムな間隔で配置される複数の第１画素群と、第３の方向と直交する第４の方向にランダムな間隔で配置される複数の第２画素群とを含む。
【００１３】
この発明の他の局面に従うと、画像を表示する表示部が設けられたコンピュータに実行させるための制御プログラムであって、表示部は、第１の方向からの光を反射させた反射光を使用して画像を表示する機能と、第１の方向と反対の第２の方向からの光である透過光を使用して画像を表示する機能とを有し、制御プログラムは、表示部が反射光を使用して表示する複数の反射光使用画素を含む反射光使用画像を生成するステップと、表示部に表示させる元画像と、生成された反射光使用画像とを合成することにより、複数の反射光使用画素を含む合成画像を生成するステップと、生成された合成画像を、表示部に反射光を使用させて表示させるステップとを備える。
【発明の効果】
【００１４】
本発明に係る携帯端末装置は、表示手段が反射光を使用して表示する複数の反射光使用画素を含む反射光使用画像を生成し、元画像と、反射光使用画像とを合成することにより、複数の反射光使用画素を含む合成画像を、表示手段に反射光を使用させて表示させる。
【００１５】
したがって、画像を表示する表示手段に強い光があたる場合でも、当該強い光を反射させた反射光を使用して表示する複数の反射光使用画素を使用することで、反射光使用画素に隣接する画素の明るさが向上し、表示手段に表示される画像の視認性を向上させることができるという効果を奏する。
【００１６】
本発明に係る制御プログラムは、表示部が反射光を使用して表示する複数の反射光使用画素を含む反射光使用画像を生成し、元画像と、反射光使用画像とを合成することにより、複数の最大反射光使用画素を含む合成画像を、表示部に反射光を使用させて表示させる。
【００１７】
したがって、画像を表示する表示部に強い光があたる場合でも、当該強い光を反射させた反射光を使用して表示する複数の反射光使用画素を使用することで、反射光使用画素に隣接する画素の明るさが向上し、表示部に表示される画像の視認性を向上させることができるという効果を奏する。
【発明を実施するための最良の形態】
【００１８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１９】
本発明の携帯端末装置は、一例として、携帯電話機であるとする。なお、携帯端末装置は、携帯電話機に限定されることなく、画像を表示する表示部を備えた携帯可能な装置であればどのような装置であってもよい。たとえば、携帯端末装置は、ＰＤＡ（Personal Digital Assistance）、携帯可能なＰＣ（Personal Computer）、デジタルスチルカメラ、デジタルビデオカメラ等であってもよい。
【００２０】
＜第１の実施の形態＞
図１は、開いた状態の携帯端末装置１０００を正面から示した図である。図１を参照して、携帯端末装置１０００は、第１の筐体１００と、第２の筐体２００とから構成される。第１の筐体１００と、第２の筐体２００とは、連結部５０により折り畳み可能なように連結される。
【００２１】
図２は、閉じた状態の携帯端末装置１０００の斜視図である。図２を参照して、図１の開いた状態の携帯端末装置１０００を折りたたむと、図２のような状態になる。
【００２２】
再び、図１を参照して、第１の筐体１００は、メイン表示部１１０Ａと、スピーカ１５０と、照度測定部１２０とを備える。メイン表示部１１０Ａは、各種情報を、文字や画像等で表示する機能を有する。メイン表示部１１０Ａは、横４８０画素、縦６４０画素の画像を表示させるための解像度（以下、ＶＧＡ解像度ともいう）を有する。なお、メイン表示部１１０Ａは、ＶＧＡ解像度以下またはＶＧＡ解像度以上の解像度を有していてもよい。
【００２３】
メイン表示部１１０Ａは、半透過型液晶ディスプレイ（ＬＣＤ（Liquid Crystal Display））であるとする。なお、メイン表示部１１０Ａは、半透過型液晶ディスプレイに限定されることなく、反射光を使用して画像を表示する機能と、透過光を使用して画像を表示する機能とを有する表示装置であればどのような表示機器であってもよい。
【００２４】
スピーカ１５０は、通話の時に使用されるスピーカである。
照度測定部１２０は受光部を有する。受光部は、第１の筐体１００の表面に設けられる。照度測定部１２０は受光部が受けた光の照度を測定する機能を有する。照度測定部１２０はメイン表示部１１０Ａの近傍に設けられる。したがって、照度測定部１２０は受光部が受けた光の照度を測定することにより、メイン表示部１１０Ａに直接あたる光（たとえば、太陽光）の照度を測定することができる。
【００２５】
第２の筐体２００は、メイン操作ボタン群である機能ボタン群２３０と、メイン操作ボタン群である入力ボタン群２４０と、マイク２６０とを備える。
【００２６】
機能ボタン群２３０は、携帯端末装置１０００の各種設定、機能切替等を行なうための複数のボタンを含む。機能ボタン群２３０は、機能ボタン２３１，２３２と、ボタン２３３，２３４と、マルチガイドボタン２３５とを含む。
【００２７】
詳細は後述するが、携帯端末装置１０００は、カメラモードと、音楽モードと、ラジオモードと、テレビモードと、リモコンモードと、通常モードとを有する。カメラモードは、携帯端末装置１０００において撮像処理を行なうことが可能なモードである。音楽モードは、携帯端末装置１０００において音楽を聴取可能なモードである。ラジオモードは、携帯端末装置１０００においてラジオを聴取可能なモードである。テレビモードは、携帯端末装置１０００においてテレビを視聴可能なモードである。リモコンモードは、電気機器を無線（たとえば、赤外線）により制御するモードである。なお、リモコンモードにおいても、端末装置１０００において、ラジオの聴取、テレビの視聴は可能である。
【００２８】
通常モードは、携帯端末装置１０００が、カメラモード、音楽モード、ラジオモード、テレビモードおよびリモコンモードのいずれでもないときのモードである。
【００２９】
機能ボタン２３１は、ユーザによる短時間（たとえば、０．５秒未満）の押下操作（以下、短押操作ともいう）によりネットワーク関連等のプログラムを起動させるためのボタンである。また、機能ボタン２３１は、ユーザによる長時間（たとえば、１秒以上）の押下操作（以下、長押操作ともいう）により、携帯端末装置１０００をカメラモードに設定するためのボタンである。なお、携帯端末装置１０００がカメラモードである場合に、機能ボタン２３１の長押操作があると、携帯端末装置１０００は、カメラモードから通常モードにモードが変更される。
【００３０】
機能ボタン２３２は、短押操作により電子メールのプログラムを起動させるためのボタンである。
【００３１】
機能ボタン２３２は、携帯端末装置１０００が通常モードである場合、長押操作毎に、携帯端末装置１０００を、音楽モード、ラジオモード、テレビモード、リモコンモード、通常モードの順に切替えるためのボタンである。なお、モードの切替わる順序は、上記の順に限定されることなく、任意の順序でもよい。
【００３２】
ボタン２３３は、携帯端末装置１０００に電話がかかってきた場合、短押操作により通話開始を行なうためのボタンである。
【００３３】
ボタン２３４は、携帯端末装置１０００が通話中である場合、短押操作により通話を終了させるためのボタンである。また、ボタン２３４は、長押操作により、携帯端末装置１０００の電源のオンとオフとの切替えを行なうためのボタンである。
【００３４】
マルチガイドボタン２３５は、方向ボタン２３５Ａ，２３５Ｂ，２３５Ｃ，２３５Ｄと、決定ボタン２３５Ｅとを含む。方向ボタン２３５Ａ，２３５Ｂ，２３５Ｃ，２３５Ｄは、短押操作により、メイン表示部１１０Ａに画像が表示されている場合、画像内の移動させる対象となる物（たとえば、カーソル等）を上下左右に移動させるためのボタンである。具体的には、短押操作があった、方向ボタン２３５Ａ，２３５Ｂ，２３５Ｃ，２３５Ｄは、たとえば、カーソルを、それぞれ、上，下，左，右に移動させるためのボタンである。
【００３５】
決定ボタン２３５Ｅは、短押操作により、たとえば、方向ボタン２３５Ａ，２３５Ｂ，２３５Ｃ，２３５Ｄの短押操作により選択された項目等を決定するためのボタンである。
【００３６】
入力ボタン群２４０は、短押操作により、数字、文字および記号等を入力するための複数のボタンから構成される。
【００３７】
マイク２６０は、通話の時に使用されるマイクである。
再び、図２を参照して、第２の筐体２００は、サブ表示部１１０Ｂと、サブ操作ボタン群１３０と、サイドボタン１３２と、ＬＥＤ１４０と、スピーカ１５２と、記録媒体挿入部１８０とを備える。
【００３８】
サブ表示部１１０Ｂは、各種情報を、文字や画像等で表示する機能を有する。サブ表示部１１０Ｂは、液晶ディスプレイであるとする。なお、メイン表示部１１０Ａは、液晶ディスプレイに限定されることなく、ＦＥＤ（Field Emission Display）、有機ＥＬディスプレイ（Organic Electro luminescence Display）、ドットマトリクス等その他の画像表示方式の表示機器のいずれであってもよい。サブ表示部１１０Ｂの解像度は、メイン表示部１１０Ａの解像度よりも低い。なお、サブ表示部１１０Ｂの解像度は、メイン表示部１１０Ａの解像度以上であってもよい。
【００３９】
サブ操作ボタン群１３０は、ボタン１３０Ａ，１３０Ｂ，１３０Ｃ，１３０Ｄを含む。ボタン１３０Ａは、携帯端末装置１０００が音楽モードであり、かつ、音楽データが再生中の場合、短押操作により、再生中の音楽データの先頭から再生を開始させるためのボタンである。また、ボタン１３０Ａは、短押操作により、サブ表示部１１０Ｂに画像が表示されている場合、画像内の移動させる対象となる物（たとえば、カーソル等）を左に移動させるためのボタンである。
【００４０】
ボタン１３０Ｂは、携帯端末装置１０００が、カメラモード、音楽モード、ラジオモード、テレビモード、リモコンモード、通常モードおよび電源オフ状態のいずれであっても使用可能なボタンである。詳細は後述するが、ボタン１３０Ｂは、たとえば、携帯端末装置１０００が音楽モードであり、かつ、音楽データが再生中の場合、短押操作により、音楽データの再生を一時停止させるためのボタンである。また、ボタン１３０Ｂは、たとえば、携帯端末装置１０００が音楽モードであり、かつ、音楽データが再生されていない場合、短押操作により、音楽データの再生を開始させるためのボタンである。
【００４１】
ボタン１３０Ｃは、携帯端末装置１０００が音楽モードであり、かつ、音楽データが再生中の場合、短押操作により、再生中の音楽データの次の音楽データの先頭から再生を開始させるためのボタンである。また、ボタン１３０Ｃは、短押操作により、サブ表示部１１０Ｂに画像が表示されている場合、画像内の移動させる対象となる物（たとえば、カーソル等）を右に移動させるためのボタンである。
【００４２】
ボタン１３０Ｄは、短押操作により、サブ表示部１１０Ｂに、たとえば、画像Ａが表示されている場合、サブ表示部１１０Ｂに、画像Ａが表示される前の画像（たとえば、画像Ｂ）を表示させるためのボタンである。
【００４３】
ＬＥＤ１４０は、携帯端末装置１０００で行なわれる処理に応じて、光による報知を行なう。たとえば、ＬＥＤ１４０は、電話の着信があった場合、光を点滅させる。
【００４４】
スピーカ１５２は、携帯端末装置１０００のモード対応した音声を出力する機能を有する。たとえば、携帯端末装置１０００が音楽モードの場合、スピーカ１５２は、再生されている音楽データの音声を出力する。
【００４５】
サイドボタン１３２は、アップボタン１３２Ａと、ダウンボタン１３２Ｂとを含む。アップボタン１３２Ａは、短押操作により、携帯端末装置１０００のモードに関わらず、携帯端末装置１０００から出力される音声の音量を大きくするためのボタンである。また、アップボタン１３２Ａは、短押操作により、サブ表示部１１０Ｂに画像が表示されている場合、画像内の移動させる対象となる物（たとえば、カーソル等）を上に移動させるためのボタンである。
【００４６】
ダウンボタン１３２Ｂは、短押操作により、携帯端末装置１０００のモードに関わらず、携帯端末装置１０００から出力される音声の音量を小さくするためのボタンである。また、ダウンボタン１３２Ｂは、短押操作により、短押操作により、サブ表示部１１０Ｂに画像が表示されている場合、画像内の移動させる対象となる物（たとえば、カーソル等）を下に移動させるためのボタンである。
【００４７】
記録媒体挿入部１８０は、携帯端末装置１０００に後述する記録媒体を挿入する部分である。
【００４８】
なお、携帯端末装置１０００は、上記構成に限定されることなく、たとえば、メイン表示部１１０Ａおよびサブ表示部１１０Ｂのいずれか一方のみを備える構成であってもよい。
【００４９】
図３は、閉じた状態の携帯端末装置１０００の背面図である。図３を参照して、第２の筐体２００は、さらに、撮像部２７０と、発光部２７２とを備える。
【００５０】
撮像部２７０は、撮像対象となる被写体を撮像する撮像処理を行なう機能を有する。撮像部２７０は、図示しない、撮像レンズ、受光部およびカラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００５１】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００５２】
撮像処理では以下の処理が行なわれる。まず、撮像部２７０が、撮像対象となる被写体に反射されて撮像レンズに入射した光を、カラーフィルタ部を介して、受光部に入力させる。受光部は入力された光を電気信号に変換する。そして、撮像部２７０は、変換した電気信号をデジタルデータ（以下、撮像画像データともいう）に変換する。
【００５３】
発光部２７２は、撮像部２７０が撮像するときに、必要に応じて、光を発する。
図４は、携帯端末装置１０００の内部構成を示したブロック図である。図４を参照して、携帯端末装置１０００は、さらに、通信部３１０と、チューナ３２０と、記憶部３３０と、一時記憶部３３２と、記録媒体アクセス部３３４と、記録媒体７０と、制御部３４０と、音声処理部３５０と、ＶＤＰ（Video Display Processor）３６０と、ＶＲＡＭ（Video Random Access Memory）３６２と、振動部３７０と、傾斜測定部３８０とを備える。
【００５４】
記憶部３３０には、制御部３４０に後述する処理を行なわせるためのプログラム７２、その他各種プログラムおよびデータ等が記憶されている。プログラム７２は、たとえば、ＯＳ（Operating System）、制御プログラム、画像処理プログラム、カメラプログラム、音楽再生プログラム、ラジオプログラム、テレビプログラム、電子メールプログラム、通話プログラム、電話帳編集プログラム、電卓プログラム、ゲームプログラム、ＷＥＢブラウザプログラム、動画再生プログラム、リモコンプログラム等を含む。
【００５５】
ＯＳは、他のプログラムの管理、各種インタフェース等の管理を行なうための各種処理を行なう。ＯＳは、携帯端末装置１０００の電源オン時に、携帯端末装置１０００のモードに関わらず、常に実行される。カメラプログラムは、携帯端末装置１０００がカメラモードの場合に実行されるプログラムである。音楽再生プログラムは、携帯端末装置１０００が音楽モードの場合に実行されるプログラムである。
【００５６】
ラジオプログラムは、携帯端末装置１０００がラジオモードまたはリモコンモードの場合に実行されるプログラムである。テレビプログラムは、携帯端末装置１０００がテレビモードの場合に実行されるプログラムである。電子メールプログラムは、受信した電子メールの閲覧または電子メールの作成等を行なうプログラムである。通話プログラムは通話をする際に実行されるプログラムである。電話帳編集プログラムは、電話帳を表示および編集するためのプログラムである。電卓プログラムは、計算を行なうためのプログラムである。
【００５７】
電子メールプログラム、電話帳編集プログラム、電卓プログラム、ゲームプログラム、ＷＥＢブラウザプログラムおよび動画再生プログラムの各々は、携帯端末装置１０００が通常モードの場合に実行可能なプログラムである。なお、ＷＥＢブラウザプログラムは、端末装置１０００がリモコンモードの場合にも実行可能なプログラムである。
【００５８】
以下においては、カメラプログラム、音楽再生プログラム、ラジオプログラム、テレビプログラム、電子メールプログラム、通話プログラム、電話帳編集プログラム、電卓プログラム、ゲームプログラム、ＷＥＢブラウザプログラム、動画再生プログラムおよびリモコンプログラムを、アプリケーションプログラムともいう。なお、アプリケーションプログラムは、上記プログラムのみに限定されることはない。
【００５９】
なお、携帯端末装置１０００が、通常モード、カメラモード、音楽モード、ラジオモード、テレビモードおよびリモコンモードのいずれのモードであっても、アプリケーションプログラムは実行可能であるとする。
【００６０】
また、プログラム７２は、さらに、割込み可能プログラムを含む。割込み可能プログラムは、アプリケーションプログラムが実行中であっても、実行可能なプログラムである。割込み可能プログラムは、たとえば、電話着信プログラム、アラームプログラム、メール受信プログラム等を含む。
【００６１】
電話着信プログラムは、電話の着信処理を行なうプログラムである。アラームプログラムは、アラーム音をスピーカ１５２から出力させるための処理を行なうプログラムである。メール受信プログラムは、電子メールの受信処理を行なうためのプログラムである。
【００６２】
記憶部３３０は、制御部３４０によりデータアクセスされる。記憶部３３０は、電源を供給されなくてもデータを不揮発的に保持可能な媒体（たとえば、フラッシュメモリ）である。
【００６３】
制御部３４０は、記憶部３３０に記憶されたプログラム７２に従って、携帯端末装置１０００内の各部に対する各種処理や、演算処理等を行なう機能を有する。制御部３４０は、マイクロプロセッサ（Microprocessor）、ＦＰＧＡ（Field Programmable Gate Array）、ＡＳＩＣ（Application Specific Integrated Circuit）、その他の演算機能を有する回路のいずれであってもよい。
【００６４】
制御部３４０は、機能ボタン群２３０のうち、短押操作または長押操作があったボタンに対応するボタン信号を受信する。また、制御部３４０は、入力ボタン群２４０のうち、短押操作または長押操作があったボタンに対応するボタン信号を受信する。また、制御部３４０は、サブボタン群１３０のうち、短押操作または長押操作があったボタンに対応するボタン信号を受信する。制御部３４０は、短押操作または長押操作があったサイドボタン１３２のアップボタン１３２Ａおよびダウンボタン１３２Ｂのいずれかに対応する信号を受信する。制御部３４０は、受信したボタン信号に応じた処理を行なう。
【００６５】
また、制御部３４０は、記憶部３３０に記憶されたプログラム７２に従って、ＶＤＰ３６０に対し、画像を生成させ、生成させた画像を、メイン表示部１１０Ａおよびサブ表示部１１０Ｂの少なくとも一方に表示させる指示（以下においては、「描画指示」ともいう）を出す。
【００６６】
ＶＤＰ３６０はメイン表示部１１０Ａおよびサブ表示部１１０Ｂと接続されている。ＶＤＰ３６０は、制御部３４０からの描画指示に応じて、ＶＲＡＭ３６２を利用して画像を生成する。そして、ＶＤＰ３６０は、ＶＲＡＭ３６２に記憶された画像データを読出し、描画指示に基づいて、メイン表示部１１０Ａおよびサブ表示部１１０Ｂの少なくとも一方に、当該画像データを送信する。
【００６７】
メイン表示部１１０Ａは、ＶＤＰ３６０から送信された画像データを受信すると、受信した画像データに基づく画像を表示する。サブ表示部１１０Ｂは、ＶＤＰ３６０から送信された画像データを受信すると、受信した画像データに基づく画像を表示する。
【００６８】
ＶＲＡＭ３６２は、ＶＤＰ３６０が生成した画像のデータを一時的に記憶する機能を有する。なお、ＶＲＡＭ３６２は、複数の画像のデータを記憶する記憶領域を有する。
【００６９】
通信部３１０は、無線通信により電波の送受信処理を行なう。電波は、無線通信用電波と、放送信号電波とに分類される。無線通信用電波は、音声データ、文字データおよび画像データ等を含む電波である。放送信号電波は、さらに、テレビジョン信号と、ラジオ信号とに分類される。なお、通信部３１０は、電波が放送信号電波の場合は、受信処理のみ行なう。
【００７０】
通信部３１０は、無線通信用電波により基地局と通信を行なう。通信部３１０は、無線通信用電波を受信した場合、当該無線通信用電波を復調し、復調した無線通信用電波に基づくデータを、制御部３４０へ送信する。また、通信部３１０は、無線通信用電波を送信する場合、制御部３４０からデータ（たとえば、音声データ）を受信し、当該データを、所定のプロトコルに基づいて、無線通信用電波に変換する。そして、通信部３１０は、変換した無線通信用電波を、送信先となる基地局へ送信する。
【００７１】
通信部３１０は、基地局と通信を行なうことで、基地局の位置を示す情報（以下、基地局位置情報ともいう）も取得可能である。通信部３１０は、制御部３４０からの制御指示に応じて、取得した基地局位置情報を、制御部３４０へ送信する。制御部３４０は、受信した基地局位置情報に基づいて、携帯端末装置１０００の位置を大まかに把握することができる。
【００７２】
また、通信部３１０は、ＧＰＳ（Global Positioning System）機能を有する。ＧＰＳ（Global Positioning System）機能とは、人口衛星と通信して、携帯端末装置１０００の位置（緯度、経度、高度等に基づく位置）の情報（以下、ＧＰＳ位置情報ともいう）を取得する機能である。通信部３１０は、制御部３４０からの制御指示に応じて、ＧＰＳ位置情報を取得し、制御部３４０へ送信する。
【００７３】
また、通信部３１０は、無線データ通信機能を有する。無線データ通信機能は、ブルートゥース（Bluetooth）を使用して、無線でデータ通信を行なう機能である。通信部３１０は、制御部３４０からの制御指示に応じて、他の端末と無線でデータ通信を行なう。なお、無線データ通信は、ブルートゥースに限定されることなく、他の通信方式を使用してもよい。
【００７４】
また、無線データ通信機能は、赤外線を使用して、無線でデータ通信を行なう機能も有する。通信部３１０は、制御部３４０からの制御指示に応じて、赤外線を使用して、電気機器に対応したリモコン信号を、対応する電気機器へ送信する。これにより、端末装置１０００は、電気機器のリモコン制御も行なうことができる。なお、電気機器のリモコン信号のデータは、予め、記憶部３３０に記憶されている。
【００７５】
また、電気機器のリモコン信号は、通信部３１０を利用して、端末装置１０００に学習させることもできる。以下においては、端末装置１０００に学習させたリモコン信号を学習リモコン信号ともいう。端末装置１０００にリモコン信号を学習させるためには、まず、リモコン信号を、通信部３１０により受信させる。制御部３４０は、受信したリモコン信号のデータを、学習リモコン信号のデータとして、記憶部３３０に記憶させる。
【００７６】
また、通信部３１０は、テレビジョン信号である放送信号電波を受信した場合、放送信号電波を、チューナ３２０へ送信する。チューナ３２０は、テレビジョン信号である放送信号電波を受信した場合、制御部３４０により指示された、チャンネルの信号をデジタルデータ（以下、テレビジョンデータともいう）に変換して、制御部３４０へ送信する。変換されたテレビジョンデータには、画像データと、音声データとが含まれる。
【００７７】
制御部３４０は、携帯端末装置１０００がテレビモードである場合、テレビジョンデータを受信し、ＶＤＰ３６０を利用して、メイン表示部１１０Ａに、テレビジョンデータに基づく画像を表示させる処理を行なう。同時に、制御部３４０は、スピーカ１５２から、テレビジョンデータに基づく音声を出力させる。
【００７８】
また、通信部３１０は、ラジオ信号である放送信号電波を受信した場合、放送信号電波を、チューナ３２０へ送信する。チューナ３２０は、ラジオの信号である放送信号電波を受信した場合、制御部３４０により指示された、周波数のラジオ局の音声信号をデジタルデータ（以下、ラジオデータともいう）に変換して、制御部３４０へ送信する。変換されたラジオデータには、音声データが含まれる。なお、テレビジョンデータおよびラジオデータは、コンテンツデータである。
【００７９】
制御部３４０は、携帯端末装置１０００がラジオモードである場合、ラジオデータを受信し、スピーカ１５２から、ラジオデータに基づく音声を出力させる。
【００８０】
なお、携帯端末装置１０００は、ラジオ局のオートスキャンおよびテレビチャンネルのオートスキャンを行なう機能を有する。ラジオ局のオートスキャンは、基地局位置情報またはＧＰＳ位置情報に基づく位置において、制御部３４０が、受信可能な複数のラジオ局を自動で設定する処理である。
【００８１】
具体的には、制御部３４０が、所定の周波数ずつ変化させた周波数の情報をチューナ３２０へ、所定の時間（たとえば、２秒）間隔で、順次、送信する。チューナ３４０は、周波数の情報を受信する毎に、周波数の情報に基づいたラジオデータを制御部３４０へ送信する。制御部３４０は、順次受信するラジオデータに基づく音声のノイズのレベルが所定レベル以下であれば、対応するラジオデータの周波数を記憶部３３０に記憶させる。以上の処理が繰り返されることにより、複数のラジオ局の周波数の情報が自動で記憶（登録）される。
【００８２】
また、テレビチャンネルのオートスキャンは、基地局位置情報またはＧＰＳ位置情報に基づく位置において、制御部３４０が、受信可能な複数のテレビのチャンネルを自動で設定する処理である。複数のテレビのチャンネルを自動で設定する処理は、前述のラジオ局を自動で登録する処理と同様なので詳細な説明は繰り返さない。
【００８３】
一時記憶部３３２は、データを一時的に記憶する機能を有する。一時記憶部３３２は、制御部３４０によってデータアクセスされ、ワークメモリとして動作する。一時記憶部３３２は、ＲＡＭ（Random Access Memory）、ＳＲＡＭ（Static Random Access Memory）、ＤＲＡＭ（Dynamic Random Access Memory）、ＳＤＲＡＭ（Synchronous DRAM）、ＤＤＲ−ＳＤＲＡＭ（Double Data Rate SDRAM）、ＲＤＲＡＭ（Rambus Dynamic Random Access Memory）、Ｄｉｒｅｃｔ−ＲＤＲＡＭ（Direct Rambus Dynamic Random Access Memory）、その他、データを揮発的に記憶保持可能な構成を有する回路のいずれであってもよい。
【００８４】
記録媒体７０には、前述したプログラム７２、コンテンツデータ等が記録されている。コンテンツデータは、たとえば、音楽データ、動画像データ等である。記録媒体７０が、前述の記録媒体挿入部１８０から携帯端末装置１０００に挿入（装着）されると、記録媒体アクセス部３３４は、記録媒体７０にデータアクセス可能となる。
【００８５】
記録媒体アクセス部３３４は、プログラム７２が記録された記録媒体７０から、制御部３４０の制御指示に応じて、プログラム７２を読出す機能を有する。記録媒体７０に記憶されているプログラム７２は、制御部３４０のインストール処理により、記録媒体アクセス部３３４で読み出され、記憶部３３０に記憶される。
【００８６】
このインストール処理用プログラムは、予め、記憶部３３０に格納されており、インストール処理は、制御部３４０が、インストール処理用プログラムに基づいて行なう。
【００８７】
なお、記憶部３３０には、プログラム７２が記憶されていなくてもよい。この場合、制御部３４０は、記録媒体アクセス部３３４を介して、記録媒体７０に記憶されたプログラム７２を読み出して、プログラム７２に基づいた所定の処理を行なう。
【００８８】
また、通信部３１０を利用して、基地局またはインターネットなどの外部のネットワークから、プログラムのダウンロード処理を行ない、記憶部３３０に格納することもできる。この場合、当該ダウンロードしたプログラムは、プログラム７２である。
【００８９】
制御部３４０は、基地局またはインターネットなどの外部のネットワークからダウンロードしたプログラム（プログラム７２）に従って、所定の処理を行なう。このダウンロード用プログラムは、予め、記憶部３３０に格納されており、ダウンロード処理は、制御部３４０が、ダウンロード用プログラムに基づいて行なう。
【００９０】
記録媒体７０は、携帯端末装置１０００から着脱可能な媒体である。すなわち、記録媒体７０に記録されているプログラム７２は、媒体等に記録されてプログラム製品として流通される。また、記録媒体７０もプログラム製品として流通される。
【００９１】
記録媒体７０は、ＣＦ(Compact Flash) カード、ＳＭ（Smart Media（登録商標））、ＭＭＣ（Multi Media Card）、ＳＤ（Secure Digital）メモリーカード、メモリースティック（登録商標）、ｘＤピクチャーカードおよびＵＳＢメモリ、その他不揮発性メモリのいずれであってもよい。
【００９２】
このように、携帯端末装置１０００から着脱可能な記録媒体を使用することにより、ユーザが設定したデータ、プログラム、その他各種データを、他の携帯端末装置に移送することができる。
【００９３】
音声処理部３５０は、デジタルデータである音声データ（以下、デジタル音声データともいう）をアナログ信号に変換する処理および音声データを含むアナログ信号（以下、アナログ音声信号ともいう）をデジタル音声データに変換する処理等を行なう。
【００９４】
制御部３４０が、デジタル音声データを音声処理部３５０へ送信すると、音声処理部３５０は受信したデジタル音声データをアナログ音声信号に変換する。そして、音声処理部３５０は変換したアナログ音声信号を制御部３４０により指示されたスピーカから出力させる。
【００９５】
また、ユーザがマイク２６０に対して音声を発すると、当該音声に応じたアナログ音声信号が、音声処理部３５０へ送信される。音声処理部３５０は、マイク２６０から、アナログ音声信号を受信すると、受信したアナログ音声信号をデジタル音声データに変換して、制御部３４０へ送信する。
【００９６】
また、制御部３４０は、ユーザがマイク２６０に対して発した言葉からなる音声をボイスデータとして、記憶部３３０に登録する機能を有する。そして、ユーザが、記憶部３３０に登録されたボイスデータに基づく音声と同等な言葉からなる音声を、マイク２６０を使用して入力させることで、制御部３４０は、ボイスデータに対応した処理を行なう。記憶部３３０に登録されているボイスデータは、たとえば、「メール」という言葉からなる音声であるとする。この場合、制御部３４０は、「メール」という言葉からなる音声が、マイク２６０から入力されると、たとえば、電子メールのプログラムを起動させる。
【００９７】
照度測定部１２０は、受光部が受けた光の照度を測定し、測定した光の照度を示すデータ（以下、照度データともいう）を、制御部３４０へ送信する。照度データは、光の強さをルクスという単位で示したデータである。
【００９８】
ＬＥＤ１４０は、制御部３４０からの制御指示に基づいて、光を発する。
撮像部２７０は、制御部３４０からの制御指示に基づいて、前述の撮像処理を行ない、撮像画像データを制御部３４０へ送信する。制御部３４０は、撮像画像データを受信すると、撮像画像データを、一時記憶部３３２、記憶部３３０および記録媒体７０のいずれかに記憶させる。
【００９９】
振動部３７０は、制御部３４０からの制御指示に基づいて、携帯端末装置１０００を振動させる機能を有する。振動部３７０は、たとえば、電話の着信、電子メールの受信時に、制御部３４０からの制御指示に基づいて、携帯端末装置１０００を振動させる。
【０１００】
傾斜測定部３８０は、２方向の重力加速度を検出することにより、携帯端末装置１０００の傾斜状態を測定する機能を有する。傾斜測定部３８０は、たとえば、重力加速度センサーである。
【０１０１】
重力加速度センサーは、重力加速度を検出する１以上の方向を有する。この検出方向を軸と呼ぶ。１個の軸を有する重力加速度センサーを、１軸の重力加速度センサーと呼ぶ。２個および３個の軸を有する重力加速度センサーを、それぞれ、２軸の重力加速度センサーおよび３軸の重力加速度センサーと呼ぶ。重力加速度センサーが有する２個以上の軸は、互いに直交する。本実施の形態における傾斜測定部３８０は、２軸の重力加速度センサーである。なお、傾斜測定部３８０は、２軸の重力加速度センサーに限定されることなく、１軸または３軸の重力加速度センサーであってもよい。
【０１０２】
傾斜測定部３８０は、所定時間（たとえば、０．２秒）毎に、携帯端末装置１０００の傾斜状態を示す傾斜状態データを、制御部３４０へ送信する。制御部３４０は、傾斜状態データを受信することで、携帯端末装置１０００の傾斜状態を判定することが可能となる。
【０１０３】
次に、制御部３４０が、前述のアプリケーションプログラムに基づいて行なう処理（以下、アプリケーション処理ともいう）の具体的な処理内容について説明する。
【０１０４】
アプリケーション処理に基づく画像は、携帯端末装置１０００が図１の状態の場合、メイン表示部１１０Ａに表示される。アプリケーション処理に基づく画像は、携帯端末装置１０００が図２の状態の場合、サブ表示部１１０Ｂに表示される。
【０１０５】
アプリケーションプログラムが、カメラプログラムの場合、アプリケーション処理では、たとえば、ユーザのボタン操作に応じて、撮像部２７０が、前述した撮像処理を行なう。撮像処理により、撮像部２７０が変換した撮像画像データは、制御部３４０へ送信される。
【０１０６】
アプリケーションプログラムが、音楽再生プログラムの場合、アプリケーション処理では、たとえば、ユーザのボタン操作に応じて、音楽データの再生処理および停止処理、音楽データのリスト表示処理等が行なわれる。
【０１０７】
アプリケーションプログラムが、ラジオプログラムの場合、アプリケーション処理では、たとえば、ユーザのボタン操作に応じて、選局されたラジオ局の音声がスピーカ１５２から出力される。
【０１０８】
アプリケーションプログラムが、テレビプログラムの場合、アプリケーション処理では、たとえば、ユーザのボタン操作に応じて、選局されたチャンネルの画像が、メイン表示部１１０Ａに表示される。また、同時に、選局されたチャンネルの音声がスピーカ１５２から出力される。
【０１０９】
アプリケーションプログラムが、電子メールプログラムの場合、アプリケーション処理では、たとえば、ユーザのボタン操作に応じて、電子メールの作成処理、電子メールの送信処理、電子メールの閲覧処理等が行なわれる。
【０１１０】
アプリケーションプログラムが、ゲームプログラムの場合、アプリケーション処理では、たとえば、ユーザのボタン操作に応じて、ゲームが実行される。
【０１１１】
アプリケーションプログラムが、ＷＥＢブラウザプログラムの場合、アプリケーション処理では、たとえば、ユーザのボタン操作に応じて、ＷＥＢサイトにアクセスし、ＷＥＢページがメイン表示部１１０Ａに表示される。
【０１１２】
アプリケーションプログラムが、動画再生プログラムの場合、アプリケーション処理では、たとえば、ユーザのボタン操作に応じて、動画像（たとえば、ＭＰＥＧ２形式の動画像）ファイルに基づく動画が、表示部１１０Ａに表示される。
【０１１３】
アプリケーションプログラムが、リモコンプログラムの場合、アプリケーション処理では、たとえば、ユーザのボタン操作に応じて、予め設定されたリモコン信号が、通信部３１０から出力される。電気機器は、リモコン信号を受信すると、受信したリモコン信号に応じた処理を行なう。
【０１１４】
図５は、制御部３４０により実行されるアプリケーションプログラム、割込み可能プログラムの一例を示す。図５を参照して、アプリケーションプログラムは、一例として、テレビプログラム、音楽再生プログラム、電話帳編集プログラム、電卓プログラム、ＷＥＢブラウザプログラムおよび電子メールプログラムであるとする。
【０１１５】
また、割込み可能プログラムは、一例として、電話着信プログラム、アラームプログラム、メール受信プログラムであるとする。以下においては、アプリケーションプログラムおよび割込み可能プログラムを、それぞれ、第１プログラムおよび第２プログラムともいう。
【０１１６】
本実施の形態では、第１プログラムおよび第２プログラムの各々の実行時に使用される一時記憶部３３２内の領域は予め割り当てられている。
【０１１７】
図６は、第１プログラムおよび第２プログラムの各々の実行時に使用される一時記憶部３３２内の領域を示す図である。図６を参照して、一時記憶部３３２は、第１プログラムの実行時に使用される、第１プログラム用領域Ｒ１１０，Ｒ１１２を含む。第１プログラム用領域Ｒ１１０および第１プログラム用領域Ｒ１１２の各々は、１つの第１プログラムの実行時に使用される領域である。すなわち、本実施の形態では、第１プログラムは、同時に、２つまで実行可能である。なお、一時記憶部３３２内の領域の設定の変更により、第１プログラムは、同時に、３つ以上実行されてもよい。
【０１１８】
一時記憶部３３２は、さらに、第２プログラム用領域Ｒ１２０を含む。第２プログラム用領域Ｒ１２０は、図５に示す、全ての第２プログラム（割込み可能プログラム）を同時に実行可能な容量を有する領域である。したがって、たとえば、第２プログラムである、電話着信プログラムの実行中に、アラームプログラムは実行可能である。なお、第２プログラムの実行による制御部３４０の処理負荷は、第１プログラムの実行による制御部３４０の処理負荷より、遥かに小さいものとする。すなわち、第２プログラムの実行に必要な容量は、第１プログラムの実行に必要な容量よりも遥かに小さいものとする。
【０１１９】
第１プログラム用領域Ｒ１１０，Ｒ１１２および第２プログラム用領域Ｒ１２０の各々の容量は、一例として、１０メガバイトであるとする。
【０１２０】
図７は、メイン表示部１１０Ａの構造および動作を説明するための図である。メイン表示部１１０Ａは、複数の画素表示部を含む。画素表示部は、赤、青および緑の光の各々を特定の割合で発することにより、１画素の色を表示する。画素表示部の数は、メイン表示部１１０Ａの解像度に依存する。メイン表示部１１０Ａが、ＶＧＡ解像度を有する場合、画素表示部の数は、６４０×４８０＝３０７２００個となる。具体的には、メイン表示部１１０Ａにおいては、画素表示部が、横に４８０個、縦に６４０個並べられることになる。
【０１２１】
図７（Ａ）は、１個の画素表示部５００の構成を示す正面図である。図７（Ａ）を参照して、画素表示部５００は電圧供給部６００と接続される。電圧供給部６００は画素表示部５００に電圧を供給する。画素表示部５００は電圧供給部６００から供給される電圧により動作する。
【０１２２】
画素表示部５００は、赤表示部５００Ｒ、緑表示部５００Ｇ、青表示部５００Ｂを含む。赤表示部５００Ｒは赤の光を発光する。緑表示部５００Ｇは緑の光を発光する。青表示部５００Ｂは青の光を発光する。
【０１２３】
図７（Ｂ）は、図７（Ａ）に示す赤表示部５００ＲのＸ−Ｘ’間の断面図を示す図である。図７（Ｂ）を参照して、赤表示部５００Ｒの下部には、バックライトＬ１００が設けられる。バックライトＬ１００は、メイン表示部１１０Ａに含まれる複数の画素表示部５００で共通して使用される。バックライトＬ１００は、白色光を発する。バックライトＬ１００の上部には、偏光板５１０Ａおよび偏光板５１０Ｂが設けられる。偏光板５１０Ａおよび偏光板５１０Ｂの各々は、メイン表示部１１０Ａに含まれる複数の画素表示部５００で共通して使用される。偏光板５１０Ａおよび偏光板５１０Ｂの各々は、特定方向に振動する光だけを透過させる。以上により、メイン表示部１１０Ａは、複数の画素表示部５００と、バックライトＬ１００と、偏光板５１０Ａと、偏光板５１０Ｂとを含む。
【０１２４】
偏光板５１０Ａの下部には、ガラス５２０Ａが設けられる。また、偏光板５１０Ｂの上部には、ガラス５２０Ｂが設けられる。ガラス５２０Ａおよびガラス５２０Ｂの各々は、メイン表示部１１０Ａに含まれる複数の画素表示部５００で共通して使用される。ガラス５２０Ａおよびガラス５２０Ｂの各々は、透明なガラスである。すなわち、メイン表示部１１０Ａは、ガラス５２０Ａと、ガラス５２０Ｂとをさらに含む。
【０１２５】
ガラス５２０Ａの下部には、カラーフィルター５３０が設けられる。カラーフィルター５３０は、カラーフィルター５３０を通過する光を赤色の光にするフィルターである。カラーフィルター５３０の下部には、透過電極５４０が設けられる。
【０１２６】
ガラス５２０Ｂの上部には、透過電極５６２および反射電極５６４が設けられる。透過電極５４０および透過電極５６２の各々は、光を透過させる電極である。反射電極５６４は、光を反射する電極である。
【０１２７】
透過電極５４０と透過電極５６２との間、および、透過電極５４０と反射電極５６４との間には、液晶層５６０が設けられる。液晶層５６０は、メイン表示部１１０Ａに含まれる複数の画素表示部５００で共通して使用される。すなわち、メイン表示部１１０Ａは、液晶層５６０をさらに含む。
【０１２８】
反射電極５６４は、液晶層５６０のうち１つの赤表示部５００Ｒで使用される液晶層の一部と、バックライトＬ１００との間に設けられる。透過電極５４０と透過電極５６２との間の電圧、および、透過電極５４０と反射電極５６４との間の電圧は、電圧供給部６００が供給する。すなわち、電圧供給部６００は、液晶層５６０のうち、赤表示部５００Ｒで使用される液晶層に電圧を印加する。
【０１２９】
液晶層５６０は、印加される電圧に応じて、液晶層５６０の光の透過率を変化させる複数の液晶を含む。すなわち、液晶層５６０は、印加される電圧に応じて、光の透過率を変化させる。
【０１３０】
本実施の形態では、透過電極５４０と、透過電極５６２との間に印加可能な最大電圧を、一例として、５Ｖとする。また、透過電極５４０と、反射電極５６４との間に印加可能な最大電圧を、一例として、５Ｖとする。液晶層５６０は、一例として、最大電圧が印加されると、光の透過率が最大となる。たとえば、透過電極５４０と、反射電極５６４との間に最大電圧が印加されると、液晶層５６０のうち、赤表示部５００Ｒで使用される液晶層の光の透過率が最大となる。なお、液晶層５６０は、電圧が印加されない場合に光の透過率が最大となってもよい。
【０１３１】
次に、赤表示部５００Ｒの動作について説明する。電圧供給部６００が、透過電極５４０と、透過電極５６２との間に最大電圧を印加すると、バックライトＬ１００の光は、偏光板５１０Ｂ、ガラス５２０Ｂ、透過電極５６２、液晶層５６０、透過電極５４０、カラーフィルター５３０、ガラス５２０Ａおよび偏光板５１０Ａを介して、光Ｌ１１０となる。光Ｌ１１０は、赤色の光である。
【０１３２】
ここで、偏光板５１０Ａに強い光（たとえば、太陽光）があたるとする。この場合、電圧供給部６００が、透過電極５４０と反射電極５６４との間に最大電圧を印加すると、強い光は、偏光板５１０Ａ、ガラス５２０Ａ、カラーフィルター５３０、透過電極５４０、液晶層５６０を介して、反射電極５６４に、入射光として到達する。そして、入射光としての強い光は、反射電極５６４で反射されて、液晶層５６０、透過電極５４０、カラーフィルター５３０、ガラス５２０Ａおよび偏光板５１０Ａを介して、光Ｌ２００となる。光Ｌ２００は、赤色の光である。
【０１３３】
なお、反射電極５６４には、様々な角度からの入射光が到達する。また、反射電極５６４に到達した所定角度からの入射光は、同じ方向に反射されるわけではない。すなわち、反射電極５６４に到達した所定角度からの入射光は、異なる複数の方向へ反射される。すなわち、反射電極５６４は、光を異なる複数の方向へ反射する。そのため、反射電極５６４に入射光として到達し、反射した光の全てが、反射電極５６４により光Ｌ２００となるわけではない。
【０１３４】
具体的には、反射電極５６４に入射光として到達し、反射した光の一部は、隣接する画素表示部５００のカラーフィルター５３０、ガラス５２０Ａおよび偏光板５１０Ａを介して、外部へ出力される。すなわち、反射電極５６４に入射光として到達し、反射した光の一部は、隣接する画素表示部５００の反射光となる。
【０１３５】
なお、緑表示部５００Ｇは、赤表示部５００Ｒと比較して、カラーフィルター５３０が、通過する光を緑色の光にするフィルターである点のみが異なる。それ以外の構成および動作は、赤表示部５００Ｒと同様なので詳細な説明は繰り返さない。また、青表示部５００Ｂは、赤表示部５００Ｒと比較して、カラーフィルター５３０が、通過する光を青色の光にするフィルターである点のみが異なる。それ以外の構成および動作は、赤表示部５００Ｒと同様なので詳細な説明は繰り返さない。
【０１３６】
画素表示部５００により表示される画素を、ユーザに、白色に見せるためには、赤表示部５００Ｒ、緑表示部５００Ｇおよび青表示部５００Ｂが、それぞれ、赤色、緑色および青色の同じ強さの光を発する必要がある。すなわち、赤表示部５００Ｒ、緑表示部５００Ｇおよび青表示部５００Ｂの各々において、電圧供給部６００が液晶層５６０に最大電圧を印加して、液晶層５６０の光の透過率を最大にすることにより、画素表示部５００により表示される画素を、ユーザに、白色に見せることができる。
【０１３７】
メイン表示部１１０Ａに含まれる画素表示部５００に強い光があたる場合に上記処理が行なわれることにより、強い光があたる画素表示部５００の反射電極５６４に入射光として到達し、反射した光の一部は、隣接する画素表示部５００の反射光となる。すなわち、隣接する画素表示部５００が表示する画素の明るさが向上する。以下においては、ユーザに、白色に見せる処理が行なわれる画素表示部５００に対応する画素を、擬似白色表示画素ともいう。
【０１３８】
なお、擬似白色表示画素は、メイン表示部１１０Ａの上部から太陽光が照らされる場合、赤表示部５００Ｒ、緑表示部５００Ｇおよび青表示部５００Ｂの各々において、液晶層５６０の光の透過率を最大にして、反射電極５６４により太陽光が反射された反射光を使用することにより、メイン表示部１１０Ａにおいて白色に見えるように表示される画素でもある。そのため、以下においては、擬似白色表示画素を、反射光使用画素ともいう。
【０１３９】
次に、メイン表示部１１０Ａに強い光があたる場合でも、メイン表示部１１０Ａに表示される画像の視認性を向上させるための処理（以下、視認性向上処理ともいう）について説明する。本実施の形態では、一例として、アップボタン１３２Ａが、画像の視認性を向上させるための視認性向上ボタンとして動作する。
【０１４０】
なお、視認性向上処理が行なわれる前に、メイン表示部１１０Ａには、たとえば、テレビプログラムの実行により、以下の元画像Ｇ１００が表示されているとする。また、元画像Ｇ１００のデータは、ＶＲＡＭ３６２に記憶されているとする。
【０１４１】
図８は、一例としての元画像Ｇ１００を示す図である。
図９は、視認性向上処理のフローチャートを示す。図９を参照して、ステップＳ１１０では、視認性向上操作があるか否かが判定される。ここで、視認性向上操作とは、視認性向上ボタンとして動作するアップボタン１３２Ａの短押操作である。
【０１４２】
具体的には、制御部３４０が、視認性向上操作があるか否かを判定する。ステップＳ１１０において、ＹＥＳならば、ステップＳ１２０に進む。一方、ステップＳ１１０において、ＮＯならば、再度、ステップＳ１１０の処理が行なわれる。ここでは、視認性向上操作があったとする。したがって、ステップＳ１２０に進む。
【０１４３】
ステップＳ１２０では、反射光使用画像の生成が行なわれる。ここで、反射光使用画像とは、複数の反射光使用画素を含む画像である。前述したように、反射光使用画素は、メイン表示部１１０Ａの上部から太陽光が照らされる場合、赤表示部５００Ｒ、緑表示部５００Ｇおよび青表示部５００Ｂの各々において、反射電極５６４により太陽光が反射された反射光を使用することにより、メイン表示部１１０Ａにおいて白色に見えるように表示される画素である。
【０１４４】
ステップＳ１２０では、具体的には、制御部３４０が、以下に説明する画像生成テーブルＴ１００に基づいて、反射光使用画像を生成する。なお、画像生成テーブルＴ１００は、予め、記憶部３３０に記憶されている。
【０１４５】
図１０は、一例としての画像生成テーブルＴ１００を示す図である。図１０を参照して、画像生成テーブルＴ１００には、番号に対応して、反射光使用画像を生成するための情報（以下、生成情報ともいう）が示される。たとえば、画像生成テーブルＴ１００の番号“１”に対応する生成情報に基づいて生成される反射光使用画像は、以下の反射光使用画像Ｇ２００Ａである。
【０１４６】
図１１は、一例としての反射光使用画像を示す図である。図１１（Ａ）は、一例としての反射光使用画像Ｇ２００Ａを示す図である。図１１（Ａ）を参照して、反射光使用画像Ｇ２００Ａの斜線部分が、複数の反射光使用画素が配置された部分である。なお、反射光使用画像Ｇ２００Ａでは横方向に対し奇数ラインに反射光使用画素群が配置されているが、横方向に対し偶数ラインに反射光使用画素群が配置されてもよい。
【０１４７】
図１１（Ｂ）は、反射光使用画像Ｇ２１０Ａを示す図である。反射光使用画像Ｇ２１０Ａは、画像生成テーブルＴ１００の番号“２”に対応する生成情報に基づいて生成される画像である。反射光使用画像Ｇ２１０Ａの斜線部分が、複数の反射光使用画素が配置された部分である。反射光使用画像Ｇ２１０Ａでは左から１ライン目に反射光使用画素群が配置されているが、これに限定されることはない。たとえば、左から２ライン目に反射光使用画素群が配置され、右方向に３ラインおきに反射光使用画素群が配置されてもよい。
【０１４８】
図１２は、一例としての反射光使用画像Ｇ２２０Ａを示す図である。反射光使用画像Ｇ２２０Ａは、画像生成テーブルＴ１００の番号“３”に対応する生成情報に基づいて生成される画像である。図１２を参照して、反射光使用画像Ｇ２２０Ａの斜線部分が、複数の反射光使用画素が配置された部分である。すなわち、反射光使用画像Ｇ２２０Ａは、横方向にランダムな間隔で配置される複数の反射光使用画素群を含む画像である。
【０１４９】
図１３は、一例としての反射光使用画像を示す図である。図１３（Ａ）は、反射光使用画像Ｇ２００Ｂを示す図である。図１３（Ａ）を参照して、反射光使用画像Ｇ２００Ｂは、画像生成テーブルＴ１００の番号“４”に対応する生成情報に基づいて生成される画像である。反射光使用画像Ｇ２００Ｂの斜線部分が、複数の反射光使用画素が配置された部分である。反射光使用画像Ｇ２００Ｂでは縦方向に対し奇数ラインに反射光使用画素群が配置されているが、縦方向に対し偶数ラインに反射光使用画素群が配置されてもよい。
【０１５０】
図１３（Ｂ）は、反射光使用画像Ｇ２１０Ｂを示す図である。反射光使用画像Ｇ２１０Ｂは、画像生成テーブルＴ１００の番号“５”に対応する生成情報に基づいて生成される画像である。反射光使用画像Ｇ２１０Ｂの斜線部分が、複数の反射光使用画素が配置された部分である。反射光使用画像Ｇ２１０Ｂでは上から１ライン目に反射光使用画素群が配置されているが、これに限定されることはない。たとえば、上から２ライン目に反射光使用画素群が配置され、下方向に３ラインおきに反射光使用画素群が配置されてもよい。
【０１５１】
図１４は、一例としての反射光使用画像Ｇ２２０Ｂを示す図である。反射光使用画像Ｇ２２０Ｂは、画像生成テーブルＴ１００の番号“６”に対応する生成情報に基づいて生成される画像である。図１４を参照して、反射光使用画像Ｇ２２０Ｂの斜線部分が、複数の反射光使用画素が配置された部分である。すなわち、反射光使用画像Ｇ２２０Ｂは、縦方向にランダムな間隔で配置される複数の反射光使用画素群を含む画像である。
【０１５２】
図１５は、一例としての反射光使用画像を示す図である。図１５（Ａ）は、一例としての反射光使用画像Ｇ２００Ｃを示す図である。反射光使用画像Ｇ２００Ｃは、画像生成テーブルＴ１００の番号“７”に対応する生成情報に基づいて生成される画像である。図１５（Ａ）を参照して、反射光使用画像Ｇ２００Ｃの斜線部分が、複数の反射光使用画素が配置された部分である。反射光使用画像Ｇ２００Ｃは、反射光使用画像Ｇ２００Ａと、反射光使用画像Ｇ２００Ｂとを合成した画像である。
【０１５３】
図１５（Ｂ）は、反射光使用画像Ｇ２１０Ｃを示す図である。反射光使用画像Ｇ２１０Ｃは、画像生成テーブルＴ１００の番号“８”に対応する生成情報に基づいて生成される画像である。図１５（Ｂ）を参照して、反射光使用画像Ｇ２００Ｃの斜線部分が、複数の反射光使用画素が配置された部分である。反射光使用画像Ｇ２１０Ｃは、反射光使用画像Ｇ２１０Ａと、反射光使用画像Ｇ２１０Ｂとを合成した画像である。
【０１５４】
図１６は、一例としての反射光使用画像Ｇ２２０Ｃを示す図である。反射光使用画像Ｇ２２０Ｃは、画像生成テーブルＴ１００の番号“９”に対応する生成情報に基づいて生成される画像である。図１６を参照して、反射光使用画像Ｇ２２０Ｃの斜線部分が、複数の反射光使用画素が配置された部分である。反射光使用画像Ｇ２２０Ｃは、反射光使用画像Ｇ２２０Ａと、反射光使用画像Ｇ２２０Ｂとを合成した画像である。すなわち、反射光使用画像Ｇ２２０Ｃは、縦および横方向にランダムな間隔で配置される複数の反射光使用画素群を含む画像である。
【０１５５】
再び、図９を参照して、ステップＳ１２０では、制御部３４０が、画像生成テーブルＴ１００の番号ｎ（１〜９のいずれか）に対応する生成情報に基づいて、反射光使用画像を生成する。なお、反射光使用画像の生成に使用される生成情報は、ユーザの設定操作により任意に設定可能である。
【０１５６】
ここで、設定操作とは、たとえば、メイン表示部１１０Ａに、画像生成テーブルＴ１００のどの番号に対応する生成情報を使用するか設定するための設定画像が表示された状態で、ユーザが、反射光使用画像の生成に使用する生成情報を設定する操作である。なお、反射光使用画像の生成に使用する生成情報は、予め設定されていてもよい。
【０１５７】
本実施の形態では、反射光使用画像の生成に使用する生成情報が、一例として、画像生成テーブルＴ１００の番号“１”に対応する生成情報に設定されているとする。この場合、制御部３４０は、画像生成テーブルＴ１００の番号“１”に対応する生成情報に基づいて、ＶＲＡＭ３６２に元画像Ｇ１００のデータが記憶されている領域とは別の領域を使用して、図１１の反射光使用画像Ｇ２００Ａを生成するための描画指示を、ＶＤＰ３６０へ送信する。ＶＤＰ３６０は、当該描画指示を受信すると、反射光使用画像Ｇ２００Ａを生成する。これにより、ＶＲＡＭ３６２内には、元画像Ｇ１００および反射光使用画像Ｇ２００Ａのデータが記憶されることになる。その後、ステップＳ１２２に進む。
【０１５８】
ステップＳ１２２では、画像合成処理が行なわれる。画像合成処理では、制御部３４０が、元画像Ｇ１００と、ステップＳ１２０により生成された画像とを合成した合成画像を生成するための描画指示を、ＶＤＰ３６０へ送信する。ＶＤＰ３６０は、当該描画指示を受信すると、以下の合成画像Ｇ３００を生成する。ここで、ステップＳ１２０により生成された画像は、反射光使用画像Ｇ２００Ａであるとする。
【０１５９】
図１７は、一例としての合成画像Ｇ３００を示す図である。図１７を参照して、合成画像Ｇ３００の斜線部分が、複数の反射光使用画素が配置された部分である。
【０１６０】
再び、図９を参照して、ステップＳ１２２の処理の後、ステップＳ１２４に進む。
ステップＳ１２４では、合成画像の表示が行なわれる。具体的には、制御部３４０が、メイン表示部１１０Ａに合成画像Ｇ３００を表示させるための表示指示を、ＶＤＰ３６０へ送信する。ＶＤＰ３６０は、当該表示指示を受信すると、合成画像Ｇ３００をメイン表示部１１０Ａに表示させる。以上により、この視認性向上処理は終了する。
【０１６１】
ここで、合成画像Ｇ３００が表示されたメイン表示部１１０Ａの状態について説明する。合成画像Ｇ３００が表示されたメイン表示部１１０Ａにおいて、合成画像Ｇ３００に含まれる複数の反射光使用画素に、それぞれ対応する複数の画素表示部５００の各々では、図７で説明したように、赤表示部５００Ｒ、緑表示部５００Ｇおよび青表示部５００Ｂの各々において、液晶層５６０の光の透過率が最大となるように、電圧供給部６００が液晶層５６０に最大電圧を印加する。
【０１６２】
メイン表示部１１０Ａに含まれる、複数の反射光使用画素にそれぞれ対応する複数の画素表示部５００に強い光があたる場合に上記処理が行なわれることにより、強い光があたる複数の画素表示部５００の各々の反射電極５６４に入射光として到達し、反射した光の一部は、隣接する画素表示部５００の反射光となる。すなわち、強い光があたる複数の画素表示部５００の各々に隣接する複数の画素の各々に対応する画素表示部５００が表示する画素の明るさが向上する。その結果、複数の反射光使用画素の各々に隣接する複数の画素の明るさが向上する。
【０１６３】
すなわち、メイン表示部１１０Ａに強い光（たとえば、太陽光）があたる場合、メイン表示部１１０Ａに表示された画像に含まれる反射光使用画素の数が多いほど、反射光使用画素に隣接し、明るさが向上する画素が多くなる。すなわち、メイン表示部１１０Ａに強い光が直接あたっている場合、メイン表示部１１０Ａに表示される合成画像Ｇ３００は、ユーザにとって見易い画像となる。
【０１６４】
したがって、メイン表示部１１０Ａに強い光があたる場合でも、前述の視認性向上処理で反射光を使用して表示する複数の反射光使用画素を使用することにより、反射光使用画素に隣接する画素の明るさを向上させることができる。その結果、メイン表示部１１０Ａに強い光があたる場合でも、元画像Ｇ１００の解像度は劣化するものの、メイン表示部１１０Ａに表示される画像の視認性を向上させることができるという効果を奏する。
【０１６５】
なお、本実施の形態では、合成画像の生成のために、反射光使用画像Ｇ２００Ａを用いた。しかしながら、合成画像の生成のために使用される画像は、反射光使用画像Ｇ２１０Ａ，Ｇ２２０Ａ，Ｇ２００Ｂ，Ｇ２１０Ｂ，Ｇ２２０Ｂ，Ｇ２００Ｃ，Ｇ２１０Ｃ，Ｇ２２０Ｃのいずれであってもよい。以下においては、合成画像の生成のために使用される画像を、合成使用画像ともいう。
【０１６６】
なお、合成使用画像に含まれる反射光使用画素が多いほど、元画像Ｇ１００の解像度の低下は大きくなる。しかしながら、メイン表示部１１０Ａに強い光（たとえば、太陽光）があたる場合においては、合成使用画像に含まれる反射光使用画素の数が多いほど、反射光使用画素に隣接し、明るさが向上する画素が多くなり、メイン表示部１１０Ａに表示される画像の視認性の向上率は高くなる。
【０１６７】
たとえば、合成使用画像を反射光使用画像Ｇ２００Ｃとした場合、元画像Ｇ１００の解像度の低下は、合成使用画像を反射光使用画像Ｇ２００Ａとした場合より大きくなる。しかしながら、メイン表示部１１０Ａに強い光があたる場合、メイン表示部１１０Ａに表示される画像の視認性は、合成使用画像を反射光使用画像Ｇ２００Ｃとした場合の方が、合成使用画像を反射光使用画像Ｇ２００Ａとした場合より向上する。
【０１６８】
なお、本実施の形態では、１度の視認性向上操作により、１つの合成画像が生成され、表示される処理を説明した。しかしながら、本発明は、視認性向上操作が行なわれる毎に、前回使用した合成使用画像より、反射光使用画素の多い合成使用画像を使用した合成画像が生成され、表示されてもよい。
【０１６９】
たとえば、１〜３回目の視認性向上操作の順に、それぞれ対応して、反射光使用画像Ｇ２１０Ａ、反射光使用画像Ｇ２００Ａ、反射光使用画像Ｇ２００Ｃの順で、合成使用画像として使用して、合成画像が生成され、表示されることで以下の効果Ａが得られる。効果Ａとは、光の強さに適した、視認性のよい合成画像を、メイン表示部１１０Ａに表示させることができるという効果である。
【０１７０】
＜第２の実施の形態＞
第１の実施の形態では、ユーザの操作により、合成画像を表示する処理について説明した。本実施の形態では、光の照度に応じて、自動的に合成画像が表示される処理について説明する。なお、本実施の形態における、携帯端末装置は、第１の実施の形態の携帯端末装置１０００と同様なので詳細な説明は繰り返さない。
【０１７１】
次に、本実施の形態において、メイン表示部１１０Ａに強い光があたる場合でも、メイン表示部１１０Ａに表示される画像の視認性を向上させるための処理（以下、視認性向上処理Ａともいう）について説明する。本実施の形態では、一例として、アップボタン１３２Ａが、画像の視認性を向上させるための視認性向上ボタンとして動作する。
【０１７２】
なお、視認性向上処理Ａが行なわれる前に、メイン表示部１１０Ａには、たとえば、テレビプログラムの実行により、図８の元画像Ｇ１００が表示されているとする。また、元画像Ｇ１００のデータは、ＶＲＡＭ３６２に記憶されているとする。
【０１７３】
図１８は、視認性向上処理Ａのフローチャートを示す。図１８を参照して、ステップＳ２０５では、照度測定処理が行なわれる。照度測定処理では、照度測定部１２０がメイン表示部１１０Ａに直接あたる光の照度を測定し、測定した照度を示す照度データを制御部３４０へ送信する。その後、ステップＳ２１０に進む。
【０１７４】
ステップＳ２１０では、照度測定部１２０が測定した照度が、第１照度より大きいか否かが判定される。具体的には、制御部３４０が、受信した照度データの示す照度が、第１照度より大きいか否かを判定する。ここで、第１照度は、一例として、５００００ルクスとする。
【０１７５】
ステップＳ２１０において、ＹＥＳならば、ステップＳ２２０に進む。一方、ステップＳ２１０において、ＮＯならば、後述するステップＳ２５０に進む。
【０１７６】
ステップＳ２２０では、第１反射光使用画像の生成が行なわれる。ここで、第１反射光使用画像は、複数の反射光使用画素を含む画像である。ステップＳ２２０では、具体的には、制御部３４０が、以下に説明する画像生成テーブルＴ２００に基づいて、第１反射光使用画像を生成する。なお、画像生成テーブルＴ２００は、予め、記憶部３３０に記憶されている。
【０１７７】
図１９は、一例としての画像生成テーブルＴ２００を示す図である。図１９を参照して、画像生成テーブルＴ２００には、測定された照度に対応した反射光使用画像を生成するための生成情報が示される。
【０１７８】
再び、図１８を参照して、ステップＳ２２０では、制御部３４０が、測定された照度に対応する生成情報に基づいて、第１反射光使用画像を生成する。具体的には、制御部３４０は、画像生成テーブルＴ２００の番号“２”に対応する生成情報に基づいて、ＶＲＡＭ３６２に元画像Ｇ１００のデータが記憶されている領域とは別の領域を使用して、第１反射光使用画像を生成するための描画指示を、ＶＤＰ３６０へ送信する。本実施の形態では、第１反射光使用画像は、一例として、反射光使用画像Ｇ２００Ｃであるとする。ＶＤＰ３６０は、当該描画指示を受信すると、第１反射光使用画像を生成する。これにより、ＶＲＡＭ３６２内には、元画像Ｇ１００および第１反射光使用画像（反射光使用画像Ｇ２００Ｃ）のデータが記憶されることになる。その後、ステップＳ２２２に進む。
【０１７９】
ステップＳ２２２では、画像合成処理が行なわれる。画像合成処理では、制御部３４０が、元画像Ｇ１００と、ステップＳ２２０により生成された画像とを合成した合成画像を生成するための描画指示を、ＶＤＰ３６０へ送信する。ＶＤＰ３６０は、当該描画指示を受信すると、以下の合成画像Ｇ３００Ａを生成する。ここで、ステップＳ２２０により生成された画像は、反射光使用画像Ｇ２００Ｃであるとする。
【０１８０】
図２０は、一例としての合成画像Ｇ３００Ａを示す図である。図２０を参照して、合成画像Ｇ３００Ａの斜線部分が、複数の反射光使用画素が配置された部分である。
【０１８１】
再び、図１８を参照して、ステップＳ２２２の処理の後、ステップＳ２２４に進む。
ステップＳ２２４では、合成画像の表示が行なわれる。具体的には、制御部３４０が、メイン表示部１１０Ａに合成画像Ｇ３００Ａを表示させるための表示指示を、ＶＤＰ３６０へ送信する。ＶＤＰ３６０は、当該表示指示を受信すると、合成画像Ｇ３００Ａをメイン表示部１１０Ａに表示させる。その後、再度、ステップＳ２０５の処理が行なわれる。
【０１８２】
前述のステップＳ２１０において、ＮＯならば、ステップＳ２５０に進む。
ステップＳ２５０では、照度測定部１２０が測定した照度が、第２照度より大きいか否かが判定される。具体的には、制御部３４０が、受信した照度データの示す照度が、第２照度より大きいか否かを判定する。なお、第２照度は、第１照度より小さいとする。ここで、第２照度は、一例として、１９９９９ルクスとする。
【０１８３】
ステップＳ２５０において、ＹＥＳならば、ステップＳ２６０に進む。一方、ステップＳ２５０において、ＮＯならば、後述するステップＳ２７０に進む。
【０１８４】
ステップＳ２６０では、第２反射光使用画像の生成が行なわれる。ここで、第２反射光使用画像は、第１反射光使用画像よりも少ない数の反射光使用画素を含む画像である。すなわち、第１反射光使用画像は、第２反射光使用画像よりも多くの反射光使用画素を含む。ステップＳ２６０では、具体的には、制御部３４０が、測定された照度に対応する生成情報に基づいて、第２反射光使用画像を生成する。
【０１８５】
すなわち、制御部３４０は、画像生成テーブルＴ２００の番号“１”に対応する生成情報に基づいて、ＶＲＡＭ３６２に元画像Ｇ１００のデータが記憶されている領域とは別の領域を使用して、第２反射光使用画像を生成するための描画指示を、ＶＤＰ３６０へ送信する。本実施の形態では、第２反射光使用画像は、一例として、反射光使用画像Ｇ２００Ａであるとする。ＶＤＰ３６０は、当該描画指示を受信すると、第２反射光使用画像を生成する。これにより、ＶＲＡＭ３６２内には、元画像Ｇ１００および第２反射光使用画像（反射光使用画像Ｇ２００Ａ）のデータが記憶されることになる。その後、ステップＳ２６２に進む。
【０１８６】
ステップＳ２６２では、画像合成処理が行なわれる。画像合成処理では、制御部３４０が、元画像Ｇ１００と、ステップＳ２６０により生成された画像とを合成した合成画像を生成するための描画指示を、ＶＤＰ３６０へ送信する。ＶＤＰ３６０は、当該描画指示を受信すると、図１７の合成画像Ｇ３００を生成する。ここで、ステップＳ２６０により生成された画像は、反射光使用画像Ｇ２００Ａであるとする。その後、ステップＳ２６４に進む。
【０１８７】
ステップＳ２６４では、合成画像の表示が行なわれる。具体的には、制御部３４０が、メイン表示部１１０Ａに合成画像Ｇ３００を表示させるための表示指示を、ＶＤＰ３６０へ送信する。ＶＤＰ３６０は、当該表示指示を受信すると、合成画像Ｇ３００をメイン表示部１１０Ａに表示させる。その後、再度、ステップＳ２０５の処理が行なわれる。
【０１８８】
前述のステップＳ２５０において、ＮＯならば、ステップＳ２７０に進む。
ステップＳ２７０では、合成画像が表示されているか否かが判定される。具体的には、制御部３４０が、ステップＳ２２４またはステップＳ２６４の処理により、メイン表示部１１０Ａに合成画像が表示されているか否かを判定する。ステップＳ２７０において、ＹＥＳならば、ステップＳ２７２に進む。一方、ステップＳ２７０において、ＮＯならば、再度、ステップＳ２０５の処理が行なわれる。
【０１８９】
ステップＳ２７２では、合成画像の表示の解除が行なわれる。具体的には、制御部３４０が、メイン表示部１１０Ａに元画像Ｇ１００を表示させるための表示指示を、ＶＤＰ３６０へ送信する。ＶＤＰ３６０は、当該表示指示を受信すると、合成画像の代わりに元画像Ｇ１００をメイン表示部１１０Ａに表示させる。その後、再度、ステップＳ２０５の処理が行なわれる。
【０１９０】
以上説明したように、本実施の形態においては、メイン表示部１１０Ａに直接あたる光の照度に応じて、自動的に、当該照度に応じた数の反射光使用画素を含む反射光使用画像と、元画像との合成画像が、メイン表示部１１０Ａに表示される。したがって、ユーザにボタン操作等の手間を生じさせることなく、メイン表示部１１０Ａに直接あたる光の照度に応じた数の反射光使用画素を含む、視認性のよい合成画像を、メイン表示部１１０Ａに表示させることができる。ここで、複数の反射光使用画素を含む合成画像の視認性がよくなる理由は、第１の実施の形態で述べたことによる。
【０１９１】
その結果、メイン表示部１１０Ａに直接あたる光の照度に応じた視認性のよい合成画像を、迅速にメイン表示部１１０Ａに表示させることができるという効果を奏する。
【０１９２】
なお、本実施の形態では、測定した照度に基づいて、反射光使用画素の数が異なる２種類の反射光使用画像を使用したが、反射光使用画素の数が異なる３種類の反射光使用画像を使用してもよい。
【０１９３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１９４】
【図１】開いた状態の携帯端末装置を正面から示した図である。
【図２】閉じた状態の携帯端末装置の斜視図である。
【図３】閉じた状態の携帯端末装置の背面図である。
【図４】携帯端末装置の内部構成を示したブロック図である。
【図５】制御部により実行されるアプリケーションプログラム、割込み可能プログラムの一例を示す。
【図６】第１プログラムおよび第２プログラムの各々の実行時に使用される一時記憶部内の領域を示す図である。
【図７】メイン表示部の構造および動作を説明するための図である。
【図８】一例としての元画像を示す図である。
【図９】視認性向上処理のフローチャートを示す。
【図１０】一例としての画像生成テーブルを示す図である。
【図１１】一例としての反射光使用画像を示す図である。
【図１２】一例としての反射光使用画像を示す図である。
【図１３】一例としての反射光使用画像を示す図である。
【図１４】一例としての反射光使用画像を示す図である。
【図１５】一例としての反射光使用画像を示す図である。
【図１６】一例としての反射光使用画像を示す図である。
【図１７】一例としての合成画像を示す図である。
【図１８】視認性向上処理Ａのフローチャートを示す。
【図１９】一例としての画像生成テーブルを示す図である。
【図２０】一例としての合成画像を示す図である。
【符号の説明】
【０１９５】
７０  記録媒体、７２  プログラム、１１０Ａ  メイン表示部、１１０Ｂ  サブ表示部、３３０  記憶部、３４０  制御部、３６０  ＶＤＰ、１０００  携帯端末装置。
【図１】
2007219276.tif 000003
【図２】
2007219276.tif 000004
【図３】
2007219276.tif 000005
【図４】
2007219276.tif 000006
【図５】
2007219276.tif 000007
【図６】
2007219276.tif 000008
【図７】
2007219276.tif 000009
【図８】
2007219276.tif 000010
【図９】
2007219276.tif 000011
【図１０】
2007219276.tif 000012
【図１１】
2007219276.tif 000013
【図１２】
2007219276.tif 000014
【図１３】
2007219276.tif 000015
【図１４】
2007219276.tif 000016
【図１５】
2007219276.tif 000017
【図１６】
2007219276.tif 000018
【図１７】
2007219276.tif 000019
【図１８】
2007219276.tif 000020
【図１９】
2007219276.tif 000021
【図２０】
2007219276.tif 000022